(57)【要約】【課題】フェイスマスク製造ラインでノーズワイヤを高速で切断し配置する。【解決手段】フェイスマスク製造ラインでノーズワイヤを個々のノーズワイヤに切断し配置するための方法及びシステムである。連続ワイヤが、供給源から製造ラインの切断ステーションに供給され、切断ステーションでは、ワイヤが一組の被駆動フィードローラに係合され、ワイヤが第１の速度で切断ローラに進められ、ワイヤは、切断ローラによって個々のノーズワイヤに切断され、次に切断ローラからの個々のワイヤは一組の供給ローラに係合され、個々のワイヤが移動するキャリアウェブの上に置かれる。供給ローラは、フィードローラ及び切断ローラから独立して駆動されて、切断ローラからのノーズワイヤが初めに加速され、第１の速度より速い第２の速度で切断ステーションから離れる方向に輸送され、次に減速されて、第１の速度より遅い第３の速度でキャリアウェブの上に動かされる。【選択図】図５
2017535681.tif 000002
【特許請求の範囲】
【請求項１】
フェイスマスク製造ラインにおいてノーズワイヤを個々のノーズワイヤに切断し配置するための方法であって、
前記フェイスマスク製造ラインの切断ステーションに供給源からの連続ワイヤを供給するステップと、
前記切断ステーションにおいて、前記ワイヤを一組の被駆動フィードローラに係合させ、前記ワイヤを第１の速度で切断ローラに前進させるステップであって、前記ワイヤは、前記切断ローラによって個々のノーズワイヤに切断される、該ステップと、
前記切断ローラからの前記個々のワイヤを一組の供給ローラに係合させ、前記個々のワイヤを移動するキャリアウェブの上に置くステップとを含み、
前記供給ローラが、前記フィードローラ及び前記切断ローラに対して独立して駆動されて、前記切断ローラからの前記ノーズワイヤが初めに加速され、前記第１の速度より速い第２の速度で前記切断ステーションから離れる方向に輸送され、次に減速されて、前記第１の速度より遅い第３の速度で前記キャリアウェブの上に動かされることを特徴とする方法。
【請求項２】
請求項１に記載の方法であって、
前記フィードローラが、前記切断ローラ及び前記供給ローラに対して独立して駆動されることを特徴とする方法。
【請求項３】
請求項２に記載の方法であって、
前記切断ローラが、前記フィードローラ及び前記供給ローラに対して独立して駆動されることを特徴とする方法。
【請求項４】
請求項３に記載の方法であって、
前記フィードローラ、前記切断ローラ、及び前記供給ローラは、制御器によって独立して制御可能なそれぞれの駆動部を有することを特徴とする方法。
【請求項５】
請求項４に記載の方法であって、
前記ロール源と前記フィードローラの間に前記ワイヤの蓄積部分を形成するべく、前記ワイヤを前記第１の速度より速い第４の速度で前記フィードローラに輸送するために、前記ワイヤが、前記フィードローラの駆動部から独立した駆動部を有する被駆動ロール源から供給され、前記制御器によって制御されることを特徴とする方法。
【請求項６】
請求項４に記載の方法であって、
前記制御器に接続されたセンサによって、前記フィードローラの回転速度及び前記供給ローラの回転速度を検出するステップを更に含むことを特徴とする方法。
【発明の詳細な説明】
【技術分野】
【０００１】
本発明は、概して保護用フェイスマスクの分野に関し、特に、そのようなフェイスマスクの製造プロセスにおいてノーズワイヤを切断し配置するための方法及びシステムに関する。
［関連出願のファミリー］
尚、本出願は、以下の本出願と出願日が同日である国際特許出願とその発明主題によって関連付けられている。
（ａ）「フェイスマスク製造プロセスにおいてノーズワイヤを継続導入するための方法及びシステム」という名称の国際特許出願ＰＣＴ／ＵＳ２０１５／０５５８５８
（ｂ）「フェイスマスク製造プロセスにおいてノーズワイヤを継続導入するための方法及びシステム」という名称の国際特許出願ＰＣＴ／ＵＳ２０１５／０５５８６１
（ｃ）「フェイスマスク製造ラインにおいて保存ノーズワイヤを導入するための方法及びシステム」という名称の国際特許出願ＰＣＴ／ＵＳ２０１５／０５５８６３
（ｄ）「フェイスマスク製造プロセスにおいてノーズワイヤを配置するための方法及びシステム」という名称の国際特許出願ＰＣＴ／ＵＳ２０１５／０５５８６７
（ｅ）「フェイスマスク製造プロセスにおいてノーズワイヤを配置するための方法及びシステム」という名称の国際特許出願ＰＣＴ／ＵＳ２０１５／０５５８７１
（ｆ）「フェイスマスク製造プロセスにおいてノーズワイヤを配置するための方法及びシステム」という名称の国際特許出願ＰＣＴ／ＵＳ２０１５／０５５８７２
（ｇ）「フェイスマスク製造ラインにおけるパッケージングのためのフェイスマスクのラッピング及び準備のための方法及びシステム」という名称の国際特許出願ＰＣＴ／ＵＳ２０１５／０５５８７６
（ｈ）「フェイスマスク製造ラインにおけるラッピングされたフェイスマスクの自動化された積み重ね及び箱詰めのための方法及びシステム」という名称の国際特許出願ＰＣＴ／ＵＳ２０１５／０５５８７８
（ｉ）「フェイスマスク製造ラインにおけるラッピングされたフェイスマスクの自動化された積み重ね及び箱詰めのための方法及びシステム」という名称の国際特許出願ＰＣＴ／ＵＳ２０１５／０５５８８２
【背景技術】
【０００２】
使い捨てフィルタリング・フェイスマスクまたは保護マスクの種々の形態が知られており、「フェイスマスク」、「保護マスク（レスピレータ）」、「フィルタリング保護レスピレータ」等の種々の名称で呼ばれている。本開示の目的のために、そのようなデバイスを、包括して「フェイスマスク」と称するものとする。
【０００３】
自然災害時または他の惨事の発生時に、救援関係者、救急隊員、及び一般大衆に保護用フェイスマスクを供給する能力は重要である。例えば、パンデミックが生じた際、フィルタを通した呼吸を可能にするフェイスマスクの使用が、そのような事態への対応や回復措置の重要な側面である。この理由のために、国や他の自治体は、通常、緊急時の即時使用のためのフェイスマスクの準備備蓄を維持している。しかし、フェイスマスクは、一定の貯蔵寿命しか有しておらず、備蓄品は、有効期限と補給のために継続してモニタリングされなければならない。これは非常にコストの嵩む仕事である。
【０００４】
最近、備蓄に頼るのではなく、パンデミックや他の災害時に「必要に応じて」フェイスマスクを大量生産することが実現可能か否かについての調査が始められている。例えば、２０１３年、米国保健社会福祉省の災害危機対応を専?に扱う副?官とその危機準備室（ＡＳＰＡ）内の生物医学先端研究開発局（ＢＡＲＤＡ）が、米国でのパンデミック時には最大１億個のフェイスマスクが必要となると推定し、備蓄を回避するために一日当たり１５０万〜２００万個のフェイスマスクを大量生産することによって、この需要が満たされるか否かについての研究を提案した。これは、１分当たり約１５００個のマスクの生産に換算される。現状のフェイスマスク製造ラインは、技術と装置による限界のために１分当たり約１００個のマスクしか生産できず、これは推定された目標値に遠く及ばない。従って、パンデミック時の「オンデマンド」フェイスマスクの目標値を現実化する場合には、生産及び製造プロセスの進歩が必要である。
【０００５】
フィルタフェイスマスクの種々の形態のなかには、よく知られているように、ユーザの鼻にフェイスマスクの形状を合わせ、使用時にフェイスマスクを所定の位置に保持するのを助けるために、フィルタパネルの上側の縁部に沿って「ノーズワイヤ」として知られる可撓性と順応性を有する金属片を備えるものがある。ノーズワイヤは、異なるサイズ及びマスク形状の間で異なる長さ及び幅を有し得るが、一般的には、連続的インライン製造プロセス、切断及び波形化プロセスにおいてスプールから切り出され、次いで、完成品のマスクの上側縁部になる縁部に沿って、移動するキャリア不織ウェブ（複数の不織布層を含むものであり得る）上に直接置かれる。その後、縁部はバインダ材料で密封され、このバインダ材料がノーズワイヤを封入し、永久的に上側縁部の所定位置に保持する。個々のノーズワイヤの切断／波形化ステーションからキャリアウェブへの輸送及び配置は、完成品のマスクにおけるノーズワイヤの正しい配置を確実にするように正確に行わなければならない。上述のスループットでの大量生産のためには、切断／波形化ステーションからの個々のノーズワイヤの製造速度（スループット）及びキャリアウェブの輸送速度は、従来の製造ラインと比較して非常に高くすることが必要となる。その結果、密封プロセスの前にノーズワイヤの適切な配置を確実に行うために、より精度の高いノーズワイヤの切断／波形化ステーションからキャリアウェブへの制御及び配置が必要になると考えられる。
【発明の概要】
【発明が解決しようとする課題】
【０００６】
本発明はこの必要性を扱うものであり、フェイスマスクのインライン製造プロセスの中においてノーズワイヤの切断と、移動するキャリアウェブ上への配置を高速で行うための方法及びシステムを提供する。
【０００７】
本発明の目的及び利点は、以下の説明に記載されたものであるか、または説明の記載内容から自明のことであるか、または本発明の実施の際に認識できるものである。
【課題を解決するための手段】
【０００８】
本発明のいくつかの態様によれば、フェイスマスク製造ラインにおいて、従来の製造ラインと比較して著しく速い速度で、連続して供給されたワイヤを個々のノーズワイヤに切断し、キャリアウェブ上に配置するための方法が提供される。本発明の切断及び配置方法は、従来の製造ラインより少なくとも１桁大きい、１つの製造ラインにおけるフェイスマスク製造速度をサポートすると考えられる。
【０００９】
本発明の方法は、ノーズワイヤを備えるフェイスマスクのいかなる特定のスタイルまたは形状、若しくはフェイスマスク製造ラインのいかなる下流工程にも限定されないことを理解されたい。
【００１０】
この方法は、前記フェイスマスク製造ラインの切断ステーションに供給源からの連続ワイヤを供給するステップを含む。前記切断ステーションにおいて、前記ワイヤは一組の被駆動フィードローラに係合され、前記ワイヤは第１の速度で切断ローラに前進させられる。前記切断ローラにおいて、前記ワイヤは、前記切断ローラによって所定の長さを有する個々のノーズワイヤに切断される。前記切断ローラから現れた前記個々のノーズワイヤは、一組の供給ローラに係合され、供給ローラは、前記個々のワイヤを前進させて、移動するキャリアウェブの上に置く。本発明の態様によれば、前記供給ローラが、前記フィードローラ及び前記切断ローラに対して独立して駆動されて、前記切断ローラからの前記ノーズワイヤが初めに加速され、前記第１の速度より速い第２の速度で前記切断ステーションから離れる方向に輸送される。次に前記個々のノーズワイヤは前記供給ローラにより減速されて、前記第１の速度より遅い第３の速度で前記キャリアウェブの上に動かされる。
【００１１】
特定の実施形態では、前記フィードローラが、前記切断ローラ及び前記供給ローラに対して独立して駆動される。加えて、前記切断ローラが、前記フィードローラ及び前記供給ローラに対して独立して駆動され得る。前記フィードローラ、前記切断ローラ、及び前記供給ローラは、制御器によって独立して制御可能なそれぞれの駆動部を有してもよい。
【００１２】
特定の実施形態では、前記ロール源と前記フィードローラの間に前記ワイヤの蓄積部分を形成するべく、前記ワイヤを前記第１の速度より速い第４の速度で前記フィードローラに輸送するために、前記ワイヤが、前記フィードローラの駆動部から独立した駆動部を有する被駆動ロール源から供給され、前記制御器によって制御される。
【００１３】
この蓄積部分は、フィードローラにおける引きずりを防止し、フィードローラによるワイヤの切断ローラへの輸送速度を正確な速度にすることを可能にする。
【００１４】
上述の速度差を達成するために、前記方法は、前記制御器に接続されたセンサによって、前記フィードローラの回転速度及び前記供給ローラの回転速度を検出するステップを更に含み得る。
【００１５】
本発明はまた、本明細書に記載した本発明の方法によってフェイスマスク製造ラインにおいて連続して供給されたワイヤを個々のノーズワイヤに切断し、キャリアウェブ上に配置するための種々のシステムの実施形態を包含する。
【００１６】
本発明の他の特徴及び態様は、後述の記載のなかで詳述する。
【００１７】
本発明の当業者にとって完全で実施可能な開示（最良の実施形態を含む）は、添付の図面を参照し、明細書の残部でより具体的に記載する。
【図面の簡単な説明】
【００１８】
【図１】ユーザに着用された、フェイスマスクをユーザの顔に倣った形にするノーズワイヤを組み込んだ従来型の呼吸用フェイスマスクの斜視図である。
【図２】折り畳まれた状態にある図１の従来型のフェイスマスクの上面図である。
【図３】図２に示された線に沿って切った図２のフェイスマスクの断面図である。
【図４】ウェブにおいて交互に配置されたパネルの縁部にノーズワイヤが組み込まれる、複数のフェイスマスクパネルが画定されたウェブの上面図である。
【図５】後でフェイスマスクパネルに組み込むためのノーズワイヤの供給、切断、及び配置に関連する本発明のいくつかの態様によるフェイスマスク製造ラインの部分を概略的に示す図である。
【図６】本発明による、稼働中の製造ラインのなかへノーズワイヤを切断し配置するための態様の概略を示す図である。
【図７】本発明による、稼働中の製造ラインのなかへノーズワイヤを切断し配置するための別の態様の概略を示す図である。
【発明を実施するための形態】
【００１９】
本発明の種々の実施形態について以下に詳述する。１つ以上の実施例についても記す。各実施形態・実施例は、本発明の例示の意図で提示されるものであり、本発明を限定するものではない。実際、本発明の範囲及び精神を逸脱することなく、本発明の種々の改変形態及び変更形態が実施可能であることは当業者には明らかであろう。例えば、１つの実施形態の一部として例示または記載された特徴を、他の実施形態で用いて、更に別の実施形態を生み出すことができる。従って、本発明は、特許請求の範囲の各請求項の技術内容及びその均等物の範囲に入るそのような改変形態及び変更形態も包含することが想定されている。
【００２０】
上述のように、本発明は、供給されているノーズワイヤが欠乏する前にフェイスマスク製造ラインのなかに保存ノーズワイヤ供給体を導入することに関する。フェイスマスク製造の下流工程は、本発明の態様を限定するものではなく、従って、本明細書中では詳細に説明しない。
【００２１】
また、本開示は、製造ラインを通してのフェイスマスクの一定の構成要素の搬送または輸送について言及しているか、またはそれを非明示的に言及するものである。物品搬送器（例えば、ロータリコンベヤまたはリニアコンベヤ）、物品配置器（例えば、真空ピックプレイサ）、及び輸送装置の任意の方式または組み合わせは、物品搬送産業においてよく知られており、本明細書に記載の目的で使用され得ることは容易に理解されよう。本発明の方法の理解及び把握のためには、これらの既知の装置やシステムの詳細な説明をすることは不要である。
【００２２】
フラットプリーツ付きフェイスマスクを含む、ノーズワイヤを組み込んだフェイスマスクの種々のスタイルや形態はよく知られているが、本発明の方法は、これらの従来のマスクのための製造ラインにおいて有用であり得る。単なる例示を目的として、本発明の方法の態様を、本明細書においては、図１に示すような当分野で「カモノハシ型」マスクと称される特定のタイプの呼吸用フェイスマスクを参照して説明する。
【００２３】
図１〜図３を参照すると、代表的なフェイスマスク１１（例えば、カモノハシ型フェイスマスク）が、着用者１２の顔の上に示されている。マスク１１は、弾性で伸縮性のストラップ即ち固定部材１６及び１８によって着用者１２に固定されるフィルタ本体１４を備える。フィルタ本体１４は、上側部分２０及び下側部分２２を備え、両方の部分が補完的な台形の形状を有し、好ましくは、熱及び／または超音波シール等によって３つの辺縁に沿って相互に接合される。この方式で接合することで、マスク１１に対し重要な構造上の完全性が加わる。
【００２４】
マスク１１の第４の辺縁は開放され、上側縁部２４及び下側縁部３８を備え、これらの縁部は互いに協働して着用者の顔に接触するマスクの周囲部分を画定する。上側縁部２４は、平坦な金属のリボンまたはワイヤの形（本明細書では「ノーズワイヤ」と称する）の細長い順応性の部材２６（図２及び図３）を受容するように構成される。ノーズワイヤ２６は、マスク１１の上側縁部２４が着用者１２の鼻や頬の外形に近接してフィットするべく構成され得るように設けられる。ノーズワイヤ２６は、典型的には、矩形の断面形状を有するアルミニウムのストリップから構築される。マスクの上側部分２０の上側縁部２４に沿って配置されたノーズワイヤ２６を有する点を除き、上側部分２０と下側部分２２は同形であり得る。
【００２５】
図１に示すように、マスク１１は、概ね、着用者１２の顔に付けられたときカップまたは円錐形の形状を有し、従って着用者１２が使用前にマスク１１をポケットに入れて持ち運びすることを容易にしつつ、成形された円錐形のマスクの「顔から離れる」利点を提供する。「顔から離れる」スタイルのマスクは、着用者の顔のかなりの部分に接触する柔らかいプリーツ付きマスクと比較して大きい呼吸室を提供する。従って、「顔から離れる」マスクは、より低温で楽な呼吸を可能にする。
【００２６】
着用者１２の通常の呼吸に関連するブローバイ（吹き抜け）は、ノーズワイヤ２６の上側縁部２６に対する位置や寸法を適切に選択することによって実質的に取り除かれる。ノーズワイヤ２６は、好ましくは上側縁部２４の中央に位置し、上側縁部２４の全長さの５０％〜７０％の範囲の長さを有する。
【００２７】
図３の断面図に示すように、上側部分２０と下側部分２２は複数の層を備え、各々が、外側マスク層３０と内側マスク層３２を有する。外側マスク層３０と内側マスク層３２との間に、１以上の中間層３４が配置されている。この層は、典型的には、メルトブローンポリプロピレン、押出成形ポリカーボネート、メルトブローンポリエステル、またはメルトブローンウレタンから構築される。
【００２８】
マスク１１の上側縁部２４は、マスク１１の開放端にわたって延在し、ノーズワイヤ２６を覆う縁部バインダ３６に面している。同様に、下側縁部３８は、縁部バインダ４０に包まれている。縁部バインダ３６及び４０は、上側縁部２４に沿ってノーズワイヤ２６を置いた後に、それぞれの縁部２４、３０の上に折り重ねられ、接合される。縁部バインダ３６、４０は、スパンレース・ポリエステル材料から作製され得る。
【００２９】
図４は、上側本体部分２０を形成する層を切断するための概ね台形の形状のレイアウトを示す。類似のレイアウトが下側本体部分２２について作り出され、これは次にフェイスマスク製造ラインにおいて上側本体部分２０と位置合わせされ、接合される。より正確には、図４のレイアウトは、平坦な材料のシートのそれぞれから上側部分２０のための層３０及び３２を最終的に切断するカッターの概略を表し、このレイアウトは、上側縁部２４と下側縁部３８によって形成されるマスク１１の開放側となる縁部５０、５２の間の平坦な材料のシート上に交互パターンをなすように配置される。このレイアウトの配置は、材料がマスク１１の作製に利用される切断装置（図示せず）を通して供給されるときに連続した切り抜き片が形成され得るような配置である。図４は、縁部２４、３８に沿った縁部バインダ３６、４０の折り畳みと接合の前の、上側縁部２４に対応する連続したウェブの部分上に切断されたノーズワイヤ２２６が配置されているところを示している。
【００３０】
図５は、ノーズワイヤ２６（図４）を組み込んだフェイスマスクのための製造ライン１０６の部分を示す。連続ワイヤ１０１が、源１０３からストリップ形状で供給される。特定の実施形態では、この源は、モータ１１５（図６）によって回転駆動され得るワイヤのロール１０４である。連続ワイヤ１０１は、本発明の方法の態様により特別に構成された切断ステーション１０８に搬送される。
【００３１】
図５及び図６を参照すると、切断ステーション１０８は、被駆動ニップを画定するフィードローラ１１０の組を有し、このときフィードローラの一方は駆動されるローラであるが、他方はアイドラローラでもよい。専用モータ１１１は、被駆動フィードローラ１１０とともに動作可能に構成され、制御器１２８に接続される。フィードローラ１１０は、移動するノーズワイヤに、ダイヤモンド型パターンのような波形パターンを与える役目も果たし得る。フィードローラ１１０から、ワイヤ１０１は、固定的なまたは回転駆動されるアンビル１１４に対向するように構成された切断ローラ１１２に供給される。専用モータ１１３は、切断ローラ１１２とともに動作可能に構成され、制御器１２８に接続される。切断ローラ１１２は、連続ワイヤ１０１を、所定の長さを有する個々のノーズワイヤ１０２に切断する。切断ローラ１１２から、個々のノーズワイヤ１０２は一対の供給ローラ１１６に係合され、供給ローラは個々のノーズワイヤ１０２を切断ステーション１０８からキャリアウェブ１１８の上に輸送する。専用モータ１１７は、被駆動供給ローラ１１６とともに動作可能に構成され、制御器１２８に接続される。図４を参照すると、キャリアウェブ１１８は、上側及び下側本体部分２０、２２を画定する連続多層ウェブであり得、個々のノーズワイヤ２６は、上側縁部２４に対応するキャリアウェブ１１８の縁部に沿って配置される。また、ノーズワイヤを切断し、図４に示すウェブの反対側の入れ子状の上側本体部分２０の上に配置するための追加の切断ステーションを、切断ステーション１０８の反対側（及び上流か下流）に動作可能に配置できることを理解されたい。図面には、理解を容易にするために、ただ１つのそのような切断ステーションが示されている。
【００３２】
個々のノーズワイヤ１０４をキャリアウェブ１１８上の所定の位置に配置した後、バインダウェブ１２０を、キャリアウェブ１１８の両縁部に沿って製造ラインに導入する。（図５には、ただ１つのバインダウェブ１２０が図示されている。）キャリアウェブ１１８、ノーズワイヤ２６、及びバインダウェブ１２０の組み合わせは、折り畳みステーション１２２を通過し、バインダウェブ１２０は、キャリアウェブの移動する縁部５０、５２のそれぞれの上に折り畳まれる（図４）。次に構成要素が接合ステーション１２４を通過し、バインダウェブ１２０がキャリアウェブ１１８に熱的に接合され、それぞれのバインダ３６、４０で図３に示す縁部の形態２４、３８が作り出される。ノーズワイヤ２６は、バインダ３６によって上側縁部２４に対する所定の位置に保持される。
【００３３】
接合ステーション１２４から、バインダ３６の下でのキャリアウェブ１１８とノーズワイヤ１０２の連続する組み合わせが更に下流の処理ステーション１２６に搬送され、個々のフェイスマスクが切断、接合され、ヘッドストラップの適用等がなされる。
【００３４】
更に図５〜図７を参照すると、製造ライン１０６からの非常に高速のフェイスマスク製造速度をサポートする形で、連続ワイヤ１０１を切断し、個々のノーズワイヤ１０２をキャリアウェブ１１８の上に配置する方法１００の態様が示されている。上述のように、この切断・配置方法１００は、従来の製造ラインより少なくとも１桁大きい、１つの製造ライン１０６におけるフェイスマスク製造速度をサポートすると考えられる。
【００３５】
切断ステーション１０８において、連続ワイヤ１０１は、被駆動フィードローラ１１０に係合され、第１の速度Ｓ１で切断ローラ１１２へ前進する。専用フィードローラモータ１１１は、制御器１２８によって制御されて、その輸送速度Ｓ１を達成する。前に説明したように、切断ローラ１１２において、ワイヤは所定の長さを有する個々のノーズワイヤ１０２に切断される。専用切断ローラモータ１１３は、制御器１３８によって決定された回転速度で駆動されて、ノーズワイヤ１０２の所望の長さを達成する。従って、制御器１２８を介して移動するワイヤ１０１に対する切断ローラ１１２の相対速度を変えることにより、その製造ライン１０６の異なる速度のための切断ローラ１１２により（例えば、異なるサイズのフェイスマスクのために）異なるノーズワイヤ長さに切断できることは理解されよう。
【００３６】
切断ローラ１１２から現れる個々のノーズワイヤ１０２は供給ローラ１１６に係合され、供給ローラは個々のノーズワイヤ１０２を前進させ、移動するキャリアウェブ１１８の上に載せる。供給ローラ１１６は、フィードローラ１１０及び切断ローラ１１２に対して供給ローラのモータ１１７によって独立して駆動され、それによって切断ローラ１１２からのノーズワイヤが、初めに加速され、第１の速度Ｓ１より速い第２の速度Ｓ２で切断ローラ１１２から離れる方向に輸送される。次に個々のノーズワイヤ１０２が供給ローラ１１６によって減速され、第１の速度Ｓ１より遅い第３の速度Ｓ３でキャリアウェブ１１８の上に動かされる。このように個々のノーズワイヤ１０２を加速し、減速することにより、切断ローラ１１２のスループットは維持できるが、個々のノーズワイヤ１０２は減速され、ノーズワイヤ１０２が第１の速度Ｓ１でキャリアウェブ１１８の上に載せられる場合より制御された形でキャリアウェブ１１８の上に配置されることになる。つまり、ノーズワイヤ１０２は、それらがウェブ１１８上の所望の相対位置を維持することを目指してキャリアウェブ上に「放出」されるのではなく、減速されて、より制御された形でキャリアウェブ１１８上に載せられる。
【００３７】
特に図７を参照すると、ロール源と供給ローラとの間にワイヤ１０１の蓄積部分１３８（例えば、ループまたは緩み）を形成するように、ロール１０４を、その専用モータ１１５により制御器１２８によって決定された第１の速度Ｓ１より速い第４の速度Ｓ４で独立して駆動することが望ましいこともある。
【００３８】
蓄積部分１３８は、フィードローラにおける引きずりを防止し、フィードローラ１１０によるワイヤの切断ローラ１１２への輸送速度を正確な速度にすることを可能にする。
【００３９】
図７を参照すると、制御の目的で、かつ上述の速度差を達成するために、方法１００は、速度センサ１３２でフィードローラ１１０の回転速度を検出し、速度センサ１３６で供給ローラ１１６の回転速度を検出するステップを更に含んでもよく、センサ１３２、１３６も制御器１２８に接続される。加えて、速度センサ１３４は、上述のように個々のノーズワイヤ１０２の長さを制御するように切断ローラ１１２とともに構成されてもよい。また、速度センサ１３０は、上述の蓄積部分１３８を形成するべくワイヤ１０１の回転駆動されるロール１０４とともに構成されてもよい。
【００４０】
個々のノーズワイヤ１０２のキャリアウェブ１１８上へ配置をよりよく制御するために、キャリアウェブ１１８の速度と一対の供給ローラ１１６の配置速度Ｓ３とを制御し協調させて、両者の速度差が最小となるようにするのが望ましいこともあり得る。この目的のため、ウェブ１１８の移動速度を検知し、そのような速度を制御器１２８に伝えるウェブ速度センサ１３３（図７）が配置されてもよい。制御器１２８は、キャリアウェブの速度をＳ３の関数として制御するためにキャリアウェブ１１８に関連する駆動または供給メカニズムに接続され得る。
【００４１】
前述のように、本発明は、本発明の方法に従って個々のワイヤを切断し、フェイスマスク製造ラインに配置する種々のシステムの実施形態も包含する。そのようなシステムのいくつかの態様は、図面に示され、本明細書中にも記載されている。
【００４２】
図示され上記された特定の内容は、本発明の種々の例示的実施形態を示し、教示するためのものであり、本発明の範囲の限定を意図するものではない。
【００４３】
特許請求の範囲の項に記載のように、本発明の範囲は、当業者には想到可能なそのような改変形態及び変更形態とともに、本明細書に記載した種々の特徴の組み合わせ及びサブコンビネーションを包含するものである。
【図１】
2017535681.tif 000003
【図２】
2017535681.tif 000004
【図３】
2017535681.tif 000005
【図４】
2017535681.tif 000006
【図５】
2017535681.tif 000007
【図６】
2017535681.tif 000008
【図７】
2017535681.tif 000009
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
フェイスマスク製造ラインにおいてノーズワイヤを個々のノーズワイヤに切断し配置するための方法であって、
前記フェイスマスク製造ラインの切断ステーションに供給源からの連続ワイヤを供給するステップと、
前記切断ステーションにおいて、前記ワイヤを一組の被駆動フィードローラに係合させ、前記ワイヤを第１の速度で切断ローラに前進させるステップであって、前記ワイヤは、前記切断ローラによって個々のノーズワイヤに切断される、該ステップと、
前記切断ローラからの前記個々のワイヤを一組の供給ローラに係合させ、前記個々のワイヤを移動するキャリアウェブの上に置くステップとを含み、
前記供給ローラが、前記フィードローラ及び前記切断ローラに対して独立して駆動されて、前記切断ローラからの前記ノーズワイヤが初めに加速され、前記第１の速度より速い第２の速度で前記切断ステーションから離れる方向に輸送され、次に減速されて、前記第１の速度より遅い第３の速度で前記キャリアウェブの上に動かされることを特徴とする方法。
【請求項２】
請求項１に記載の方法であって、
前記フィードローラが、前記切断ローラ及び前記供給ローラに対して独立して駆動されることを特徴とする方法。
【請求項３】
請求項２に記載の方法であって、
前記切断ローラが、前記フィードローラ及び前記供給ローラに対して独立して駆動されることを特徴とする方法。
【請求項４】
請求項３に記載の方法であって、
前記フィードローラ、前記切断ローラ、及び前記供給ローラは、制御器によって独立して制御可能なそれぞれの駆動部を有することを特徴とする方法。
【請求項５】
請求項４に記載の方法であって、
前記ワイヤが、前記フィードローラの駆動部から独立した駆動部を有する被駆動ロール源から供給され、
前記被駆動ロール源の前記駆動部は、前記被駆動ロール源と前記フィードローラの間に前記ワイヤの蓄積部分を形成するべく、前記ワイヤを前記第１の速度より速い第４の速度で前記フィードローラに輸送するために、前記制御器によって制御されることを特徴とする方法。
【請求項６】
請求項４に記載の方法であって、
前記制御器に接続されたセンサによって、前記フィードローラの回転速度及び前記供給ローラの回転速度を検出するステップを更に含むことを特徴とする方法。
【手続補正２】
【補正対象書類名】明細書
【補正対象項目名】００１２
【補正方法】変更
【補正の内容】
【００１２】
特定の実施形態では、前記ワイヤが、前記フィードローラの駆動部から独立した駆動部を有する被駆動ロール源から供給され、前記被駆動ロール源の前記駆動部は、前記被駆動ロール源と前記フィードローラの間に前記ワイヤの蓄積部分を形成するべく、前記ワイヤを前記第１の速度より速い第４の速度で前記フィードローラに輸送するために、前記制御器によって制御される。
【国際調査報告】
2017535681.tif 000010
2017535681.tif 000011